(57)【要約】【課題】  選択的な周波数の時間ズレを自動的に低減させるか又は実質的になくし得る信号ケーブルの提供【解決手段】  信号ケーブル１は、そのリード線３や５の各線分部分６，７や８，９を通る電流が該リード線の隣接線分部分を通る電流と反対方向に流れるように、ケーブル内のリード線が概ね矩形形状を採る独特のケーブルリード線構造を有する。信号がケーブル１を通る際に、リード線３や５の各線分部分６，７や８，９により生成される磁場が隣接線分部分７，６や９，８により生成される磁場と相殺して消合う。この磁場の相殺は、選択的な周波数の時間ズレないし群遅延の原因となるインピーダンスを低減させる。多数本のリード線を有する信号ケーブルの場合、リード線は、該リード線間の相互干渉ないし混線を低減させるべく間隔が最大になるように相互にズレて配置され、且つ混線を更に低減させるべく相対回転した状態で配置される。【選択図】図１Ａ
2004342578.tif 000002
【特許請求の範囲】
【請求項１】
中空のチューブと、
チューブの壁を縫うように通された少なくとも一本の導体であって、少なくとも二つの相互に隣接する線分部分を含む非直線状の構造を備えたものと
を有する信号ケーブルであって、
非直線状構造は、該導体の前記少なくとも二つの隣接線分部分のうち第一の隣接線分部分による磁場が該導体の前記少なくとも二つの隣接線分部分のうち第二の隣接線分部分による磁場を打消すことによって該導体の自己インダクタンスを低減させるべく、少なくとも第一及び第二の隣接線分部分に物理空間で見て逆向きに電流が流れるように、該導体の前記少なくとも二つの線分部分が配置されてなり、
該導体の自己インダクタンスの低減により信号ケーブルの周波数群遅延が低減されるように構成された自己インダクタンス低減信号ケーブル。
【請求項２】
中空のチューブと、
チューブ内に配置された少なくとも一本の導体であって、少なくとも二つの相互に隣接する線分部分を含む非直線状の構造を備えたものと
を有する信号ケーブルであって、
非直線状構造は、該導体の前記少なくとも二つの隣接線分部分のうち第一の隣接線分部分による磁場が該導体の前記少なくとも二つの隣接線分部分のうち第二の隣接線分部分による磁場を打消すことによって該導体の自己インダクタンスを低減させるべく、少なくとも第一及び第二の隣接線分部分に物理空間で見て逆向きに電流が流れるように、該導体の前記少なくとも二つの線分部分が配置されてなり、
該導体の自己インダクタンスの低減により信号ケーブルの周波数群遅延が低減されるように構成された自己インダクタンス低減信号ケーブル。
【請求項３】
導体で占有されていないチューブ内の空隙がゲルで実質的に満たされている請求項１又は２に記載の信号ケーブル。
【請求項４】
導体の前記隣接線分部分が相互に実質的に平行になるように導体が形成されている請求項１から３までのいずれか一つの項に記載の信号ケーブル。
【請求項５】
前記の平行な隣接線分部分が形成されるように、導体が約９０度の角度で折曲げられている請求項４に記載の信号ケーブル。
【請求項６】
折曲角部が丸みを有するように導体が折曲げられている請求項５に記載の信号ケーブル。
【請求項７】
導体が実質的に鋸歯状形状を有する請求項１から３までのいずれか一つの項に記載の信号ケーブル。
【請求項８】
導体の隣接線分部分が相互に鈍角又は鋭角で折り曲げられて前記の隣接線分部分が形成されている請求項１から３までのいずれか一つの項に記載の信号ケーブル。
【請求項９】
導体が固定手段でチューブに固定されることによって、導体の前記構造が所定位置に保持されている請求項２に記載の信号ケーブル。
【請求項１０】
少なくとも二本の導体がチューブ内に配置され、該導体が結束手段で相互に固定されている請求項２に記載の信号ケーブル。
【請求項１１】
信号ケーブルと、該信号ケーブルの第一端部に取付けられた第一のコネクタと、前記信号ケーブルの第二端部に取付けられた第二のコネクタとを有する自己インダクタンス低減信号ケーブル装置であって、
信号ケーブルが、
中空のチューブと、
チューブの壁を縫うように通され少なくとも二つの相互に隣接する線分部分を含む非直線状の構造を備えた少なくとも一本の導体であって、非直線状構造は、該導体の前記少なくとも二つの隣接線分部分のうち第一の隣接線分部分による磁場が該導体の前記少なくとも二つの隣接線分部分のうち第二の隣接線分部分による磁場を打消すことによって該導体の自己インダクタンスを低減させるべく、少なくとも第一及び第二の隣接線分部分に物理空間で見て逆向きに電流が流れるように、該導体の前記少なくとも二つの線分部分が配置されたものと
を有し、
第一及び第二のコネクタが、更に、
負の接点部材と、
中空の正の接点部材であって、導体が該正接点部材の中空部分内に挿入されて実質的にその端部で該中空正接点部材に半田付けされるに十分な大きさを該正接点部材の中空部分が備えるものと
を有し、
導体の自己インダクタンスの低減により信号ケーブルの周波数群遅延が低減され、導体と正接点部材の端部との距離の低減により信号の歪みが最小限になるように構成された
自己インダクタンス低減信号ケーブル装置。
【請求項１２】
信号ケーブルと、該信号ケーブルの第一端部に取付けられた第一のコネクタと、前記信号ケーブルの第二端部に取付けられた第二のコネクタとを有する自己インダクタンス低減信号ケーブル装置であって、
信号ケーブルが、
中空のチューブと、
チューブ内に配置され少なくとも二つの相互に隣接する線分部分を含む非直線状の構造を備えた少なくとも一本の導体であって、非直線状構造は、該導体の前記少なくとも二つの隣接線分部分のうち第一の隣接線分部分による磁場が該導体の前記少なくとも二つの隣接線分部分のうち第二の隣接線分部分による磁場を打消すことによって該導体の自己インダクタンスを低減させるべく、少なくとも第一及び第二の隣接線分部分に物理空間で見て逆向きに電流が流れるように、該導体の前記少なくとも二つの線分部分が配置されたものと
を有し、
第一及び第二のコネクタが、更に、
負の接点部材と、
中空の正の接点部材であって、導体が該正接点部材の中空部分内に挿入されて実質的にその端部で該中空正接点部材に半田付けされるに十分な大きさを該正接点部材の中空部分が備えるものと
を有し、
導体の自己インダクタンスの低減により信号ケーブルの周波数群遅延が低減され、導体と正接点部材の端部との距離の低減により信号の歪みが最小限になるように構成された
自己インダクタンス低減信号ケーブル装置。
【請求項１３】
導体で占有されていないチューブ内の空隙がゲルで実質的に満たされている請求項１１又は１２に記載の信号ケーブル装置。
【請求項１４】
導体の前記隣接線分部分が相互に実質的に平行になるように導体が形成されている請求項１１から１３までのいずれか一つの項に記載の信号ケーブル装置。
【請求項１５】
前記の平行な隣接線分部分が形成されるように、導体が約９０度の角度で折曲げられている請求項１４に記載の信号ケーブル装置。
【請求項１６】
折曲角部が丸みを有するように導体が折曲げられている請求項１１から１５までのいずれか一つの項に記載の信号ケーブル装置。
【請求項１７】
導体が実質的に鋸歯状形状部分を有する請求項１１から１３までのいずれか一つの項に記載の信号ケーブル装置。
【請求項１８】
導体の隣接線分部分が相互に鈍角又は鋭角で折り曲げられて前記の隣接線分部分が形成されている請求項１１から１３までのいずれか一つの項に記載の信号ケーブル装置。
【請求項１９】
導体が固定手段でチューブに固定されることによって、導体の前記構造が所定位置に保持されている請求項１２に記載の信号ケーブル装置。
【請求項２０】
少なくとも二本の導体がチューブ内に配置され、該導体が結束手段で相互に固定されている請求項１２に記載の信号ケーブル装置。
【請求項２１】
信号ケーブルの自己インダクタンスを低減させる方法であって、
少なくとも一本の導体の相互に隣接する少なくとも二本の線分部分のうちの一方の線分部分を通る電流がもう一方の線分部分の電流とは物理空間で見て逆向きに流れて二つの隣接線分部分による磁場が相互に打ち消しあうように、該導体の複数の部分が非直線状に位置するように配置し、
磁場の相殺により自己誘導及び周波数群遅延を低減させるようにした
信号ケーブルの自己インダクタンス低減方法。
【請求項２２】
チューブ内の空隙をゲルで実質的に満たして共振を低減させる段階を含む請求項２１に記載の方法。
【発明の詳細な説明】
【技術分野】
【０００１】
本発明は電子信号ケーブル装置に係り、特に、電子コンポーネントの間でオーディオ信号、ビデオ信号、オーディオ／ビデオ信号、データ信号及び／又はＡＣ（交流）電力を伝送する場合に、従来の信号ケーブルでは周波数変化ないしズレ（frequency shifting）により生じる信号の干渉や歪みが抑制されるケーブル構造体に係る。
【背景技術】
【０００２】
ビデオ信号やオーディオ／ビデオ（ＡＶ）信号だけでなくオーディオデータやステレオサウンドシステムを生成するために用いられる電子コンポーネントの性能や品質は確実に且つ継続的に改良されてきた。長年の進歩の間に、オーディオ及び／又はビデオ作品を並はずれて正確に再生し得る多くの種類のコンポーネントが生み出されてきた。電子コンポーネントが改良されたことにより、該電子コンポーネントにより生成される信号の質は、該電子コンポーネントの相互接続に用いられるケーブルの性能（effect）が全体としてシステムのオーディオ出力又はＡＶ出力の全体的な品質に大きな影響を及ぼし得るレベルに達した。
【０００３】
ケーブルが信号出力の質に注目に値する影響を及ぼし得ることを認識して、信号ケーブルでシステムのコンポーネントを相互接続する場合に、種々の方法ないし技巧を用いて、信号ケーブルにより生起せしめられる信号の劣化を抑える試みがなされてきた。そのような方法の一つは、信号ケーブル内の信号リード線を包むシールド（遮蔽）の開発である。シールドを用いることにより、当該システムのコンポーネントによって発生されるのではない外部信号から信号リード線を保護し得る。その結果、シールドは、伝送信号が、外部環境に起因する信号すなわちノイズによって劣化せしめられないように保護することによりシステム全体の性能を改善する。
【０００４】
オーディオデータの伝送を目的として用いられるか一般的なデータの伝送を目的として用いられるかを問わずデータ伝送ケーブルでしばしば経験する別の一つの問題は、ケーブルのインピーダンスにより生起せしめられる信号の劣化である。高インピーダンスケーブルは受信信号の強度を低下させ、システム全体の性能を低下させる。この問題を低減させようとして、ステレオシステムやホームシアターシステムや他の種類の装置においてコンポーネント間を相互接続するために低インピーダンスのケーブルを用いることは従来試みられている。低インピーダンスケーブルは、伝送される信号の質を改善したけれども、それはケーブル自体に関連する一つの問題に対する処置に過ぎない。
【０００５】
また、複数のリード線を流れる電流による磁場が相互に相殺するように、該複数のリード線を相対配置することは、提案されている（例えば、特許文献１）。
【０００６】
信号伝送ケーブルに関連する別の一つの問題は、選択的な周波数の時間ズレ（selective frequency time shifting）である。この問題は、外的な要因やケーブルのインピーダンスによって生ぜしめられるのではなくて、信号がケーブルを通る際に当該信号によって生ぜしめられる。特に、信号伝送過程において当該信号が生成する磁場によって当該信号自体が劣化せしめられる。ケーブルのリード線によって生成された磁場が、当該信号を変化させる。特に、信号が信号ケーブルのリード線を通る際に、当該信号自体によって生成された磁場が、当該信号のタイミングに悪影響を及ぼす。このタイミング効果ないし影響は、選択的な周波数のズレ（selective frequency shifting）として知られている。典型的には、信号の時間ズレは、周波数が高くなる程大きくなる。信号が信号ケーブルを通る際に、磁場を生成し、この磁場がインピーダンスを生ぜしめる。このインピーダンスは、選択的な周波数（の信号ないし信号成分）がケーブルを通過するのに要する時間を長くする。従って、ケーブルの一端に同時に入った周波数の異なる信号が僅かに異なるタイミングでケーブルから出力される。その結果、システムによって生成された高品質のオーディオ信号やＡＶ信号が劣化する。これは、信号自体によって生起せしめられた干渉の故に、選択的な周波数が信号ケーブルを異なる速さで通過するためである。一部の周波数（の信号）が他の周波数（の信号）よりも先に、信号ケーブルの他端に達する。この時間遅延は、信号ケーブルの一端で入力された信号が信号ケーブルの他端で正しく再生されて出力されるのを妨げる。この時間ズレ（time shifting）の問題は、従来技術では、十分には対処されていない。従って、選択的な周波数の時間ズレを低減させたり防いだりする方法を備えることが望まれる。選択的な周波数の時間ズレ（群遅延（特性）ないし群遅延時間）の原因になる磁場は、ＡＣ信号の極性の反転だけでなく信号の大きさの変化を妨げようとする。
【０００７】
従来技術では、ケーブルを介する信号伝送に関連する多くの問題が解決されているけれども、データインターコネクト（相互接続）ケーブルを信号が通過する際の選択的な周波数の時間ズレの問題に対して効果的な対処はなされていない。
【特許文献１】米国特許第６４１４２３９号明細書
【発明の開示】
【発明が解決しようとする課題】
【０００８】
本発明は、前記諸点に鑑みなされたものであって、その目的とするところは、インターコネクト（相互接続ケーブル）を通過する信号によって生起せしめられる選択的な周波数の時間ズレ（selective frequency time shifting）を自動的に低減させるか実質的になくす新規な信号ケーブル（構造体）を提供することにある。
【課題を解決するための手段】
【０００９】
ケーブルは、独特のリード線構造を採る。このリード線構造では、信号ケーブルの一線分部分（segment）を通過する電流が該信号ケーブルの隣接する線分部分（adjacent segment）を通過する電流とは反対の方向に進むように、ケーブル内のリード線が概ね四角い構造ないし矩形構造に形成されている。信号が信号ケーブルを通過している際、該信号ケーブルの各線分部分で生成される磁場と隣接線分部分の磁場とが相殺する。磁場の相殺は、選択的な周波数の時間ズレを生ぜしめるインピーダンスをなくす。多数のリード線を備えた信号ケーブルでは、該リード線間の距離を最大限にするようにリード線が相互にずらされ且つワイヤ（リード線）相互の干渉を低減するようにリード線が相対的に回転せしめられて配置される。
【００１０】
ここで、ある一の線分部分に対して「隣接」する線分部分は、該一の線分部分と協働して一の角部を形成すべく最隣接した線分部分に限られず、該一の角部に隣接する角部を形成する別の線分部分を含む。また、「線分」は、典型的には直線であるけれども、曲線であってもよい。
【００１１】
図面に基づいて詳細な説明をする前に、本発明が係るシステムについて、一般的な概要を説明する。
【００１２】
本発明は、電子信号がケーブルを通って伝送される際に該電子信号に歪みや劣化が生じるのを抑制する方法及び装置を提供するものである。信号は、オーディオデータや多チャンネルないしステレオのオーディオデータや、ビデオデータや、オーディオビデオデータや、コンピュータデータやＡＣ（交流）電力やこれらの組合せの如き電子信号であり得る。加えて、ケーブルに関連する干渉を受けるデータ伝送は、どのようなデータ伝送であっても、本発明による利益を享受し得る。
【００１３】
本発明は、オーディオシステムにおいてデジタル信号やアナログ信号やＡＣ電力を伝送する新しい方法を提供する。同様に、本発明は、アナログ信号又はデジタル信号を伝送する他のシステムにおいても使用され得る。一般に、電子信号が導電体を通る際に、電子信号は導電体のまわりに磁場を生成する。磁場は、信号の大きさが変化するのを妨げる働きを有し、また、（交流電流信号の）極性の変化に抗する働きをする。これは、磁場によって誘導される局所的な渦電流による（即ち、自己インダクタンス）。
【００１４】
この明細書に記載のケーブルは、リード線の各線分部分（segment）によって生成される磁場が当該リード線（ワイヤ）の隣接線分部分（adjacent segment）ないし区画（section）によって生成される磁場と相殺されるように、典型的には、四角い形状ないし矩形形状に構成されたリード線を用いる。ケーブルの各リード線は、同一の四角い形状ないし矩形形状に構成され、各リード線の線分部分からの磁場がリード線の他の区画の磁場を打ち消すのに用いられる。加えて、ケーブルの各リード線は、リード線間の相互干渉ないし混信（混線）（cross wire interference）を最低限に抑えるべく相対的に回転した状態に配置され、これにより、信号の劣化を更に低減させる。ケーブル内に二本のリード線が用いられる場合、信号の干渉を低減させるべく各リード線間の距離ができるだけ大きくなるように、リード線が相互に９０度回転されて相互にズレた位置に配置される。同様に、ケーブル内に三本のリード線が用いられる場合、各リード線は他のリード線に対して６０度ズレた状態で配置される。
【００１５】
ここで、リード線に関して、「矩形」形状ないし構造を採るとは、典型的には、リード線が矩形の四つ辺ないし線分部分の全てを形成するのではなくて、矩形の四つの頂点（角部）の位置を規定し得るように四つ辺ないし線分部分のうち三つの辺ないし線分部分を形成することを指す。
【発明を実施するための最良の形態】
【００１６】
以上においては、本発明の特徴及び利点を一般的に説明した。次に、本発明の好ましい実施の形態のいくつかを、添付図面に示した好ましい実施例に基づいて、より詳細に説明する。
【実施例】
【００１７】
図１Ａには、本発明による好ましい一実施例のケーブル１（の外側の管ないしチューブ２の手前側の壁部）を長手方向に沿って切除してチューブ２の内部を示した図が示されている。ケーブル１は、ケーブルチューブ２の両端部に端部コネクタ４を有する。この図では、導体３，５は、概ね幾何学的な矩形状に形成され、導体３の各線分部分６，７（segment）及び導体５の各線分部分８，９は、実質的に相互に平行である。このように平行な状態に配置された場合、各線分部分６，７や各線分部分８，９は夫々同一の導体３，５の単に異なる部分（section）であるから、各線分部分６，７や各線分部分８，９を通る電子信号１０は、同一の大きさ及び極性を有する。しかしながら、各線部分部分６，７や各線分部分８，９の平行な配置の故に、信号１０が進む方向は、各線分部分６，７や各線分部分８，９で夫々相互に逆向きになる。信号１０が反対方向に進むことから、各線分部分６，７や各線分部分８，９の自己インダクタンスをなくすべく作用する。その結果、真直ぐな導体を有する従来のケーブルにおけるよりもダイナミックインピーダンスがはるかに低くなるから、デジタル信号がオン又はオフになるような切替（スイッチング）が行われたり、ＡＣ信号のように極性の切替が行われる過程において、どのような電子信号１０でも、ケーブル１をよりスムーズに流れることになる。
【００１８】
オーディオ信号（即ち、２０Ｈｚから２０，０００Ｈｚまでの様々な組合せで振幅が絶えず変化するＡＣ信号）の場合、ケーブル１では、自己インダクタンスが小さくなっているので、群遅延が低減される。群遅延は、自己インダクタンスの影響で異なる周波数の信号成分が異なる速さで導体中を進む現象である。自己インダクタンスが低下すると、この好ましい実施例の場合がそうであるが、オーディオ信号は種々の周波数成分の時間の正確さ（time accuracy）が改善される。その結果、ダイナミックレスポンスが高められ、３Ｄ（三次元）表現が改善され、より自然な音質になる。ビデオ信号の場合、像がより鮮明ないしシャープになり、カラーバランスがより自然になり、画質が改善される。
【００１９】
この好ましい実施例の基本的な形態では、二本の信号リード線３，５を接続する端部コネクタ４を備えたケーブル１を用いる。ケーブル１の機械的な構造は、テフロン（登録商標）製チューブ２として作られる。このチューブ２は、二本の導体３，５を内部に収容する。二本の導体３，５は、実質的に直角をなすような相対回転位置にある。テフロン（登録商標）チューブ２には、好ましくは、シリコ−ンゲルのような非導電性のゲルが充填されている。なお、当業者には、どのような適当な（適切な）ゲル状材料が用いられてもよいことは明らかであろう。同様に、この好ましい実施例では、チューブ２としてテフロン（登録商標）チューブが用いられるとして説明しているけれども、当業者には、チューブ２を作るに適切である限り他のどのような材料が用いられてもよいことは明らかであろう。
【００２０】
各信号リード線３，５は、単一の真直ぐな線として形成されるのではなく、一連の実質的に平行な線分部分６，７又は８，９として形成される。ここでは、信号リード線３を例にとって更に説明する。線分部分６，７は相互に約１８０度の角度をなしている。このように構成することにより、線分部分６，７は、物理空間で見て相互に反対方向に電流１０が流れるように配列ないし調整されていることになる。線分部分の配置は、隣接する線分部分６，７に反対方向に電流が流れるようにして、導体３の線分部分６，７により生成される磁場が打ち消しあうようにしている。導体３についての説明は、隣接する平行な線分部分８，９を備えた導体５に同様にあてはまる。この好ましい実施例では、テフロン（登録商標）チューブ２への導体３，５の配設ないし実装の仕方は、導体３，５の太さに応じて変わり得る。
【００２１】
図１Ｂは、細い導体の場合を示している。図示の簡明化のために、この図では、導体３のみが示されている。他の導体も同様に取付けられ得る。細い導体を配設する場合、導体３を中空のテフロン（登録商標）チューブ２に縫うように通すことにより該導体３を特別の形状で固定し得る。チューブ２の壁に導体３を縫うように通すことにより固定することに加えて、接着剤やテープや縫込みの如き他のどのような適当な（適切な）手段でチューブ２の壁に導体３を固定してもよいことは、当業者には、明らかであろう。
【００２２】
図１Ｃでは、図１Ｂの実施例のものがオプションとして付加された外側のシールド２８内に配設されている例が示されている。このシールド２８は、外部の電磁放射からケーブル全体を保護すべく用いられる。外側シールド２８は、ケーブルが電磁放射の激しい環境におかれる場合に非常に有用であり得る。オプションとして付加される外側シールド２８は、電磁遮蔽用にデザインされた特別な電磁遮蔽材料でできている。ここで、シールド２８は、当然ながら、非導電性保護カバーを含み得る。場合によっては、シールド２８の部分が非導電性保護カバーであってもよい。なお、導体３，５は、絶縁被覆されていても、絶縁被覆がなく導電性部分が表面に露出していてもてもよい。
【００２３】
図１Dは、線径のより太い（heavier gauge）導体３，５の場合を示している。この実施例では、導体は十分な太さ（例えば、直径が１．５ｍｍ又はそれより大きい）を有し、所定の形状に折曲げられ得、つなぎ材ないし結束手段１２を用いて約９０度の角度で相互に固定され得る。結束手段１２は、どのような適当な（適切な）材料（例えば、ナイロン紐やテフロン（登録商標）テープの如きもの）でできていてもよい。
【００２４】
導体３，５がテフロン（登録商標）チューブ２内に配設されると、次に、前述のように、テフロン（登録商標）チューブ２内に半固形のシリコンゲルが充填される。ゲルを入れるのは、導体３，５の共振を抑制するためである。
【００２５】
磁場をなくす又は小さくすることは、従来のケーブルで生じる選択的な周波数のズレ（selective frequency shifting）をなくす又は低減することになる。従来のケーブルをオーディオ信号の如き信号が流れる際、周波数に依存して（より大きく又はより少なく）多少なりとも磁場の影響を受ける。これは、磁場の影響で、信号の周波数の差異に応じて信号（又はその異なる周波数成分）が異なる速さでケーブルを通るためである。高い周波数（の信号）は、その波長の故に、誤りが生じ易い。この周波数の時間ズレ（frequency time shifting）は、オーディオの性能等に係るデータの正確な再生を妨げるというタイミングの問題を生じ、また、他の種類のデータの伝送にも影響を与える。本発明により提供されるケーブルの構造は、この干渉の問題をなくすか低減し、これにより、特定の周波数領域における望ましくないズレをなくすか低減する。この発明は、ケーブルにより生ぜしめられる磁場を該磁場自体と相殺するように用いることによってこれを達成する。
【００２６】
ケーブル１の端面からみた状態を示す図２からわかるように、ケーブル１の導体５は、導体３に対して９０度回転されている点を除いて、導体３と同様に構成されている。線分部分８，９は、（以上において説明した）線分部分６，７と同様に、相互の磁場を相殺する。リード線３，５を相対回転位置にしてあるのは、一方の導体３又は５の磁場が他方の導体５又は３に与える影響を最小限に抑えるためである。同様に、線分部分８，９と線分部分６，７との間の距離が出来るだけ大きくなるように、線分部分８，９が線分部分６，７の間（典型的には中間）に配置されることが好ましい。これは、また、リード線間の混信（混線）ないし相互干渉を低減する。
【００２７】
本発明の好ましい一実施例によって提供される矩形構造は、選択的な周波数の遅延誤差（selective frequency delay error）により生起される信号の歪みを低減させるかなくす役割を果たす。その結果、ケーブル１の他端（出力端）において信号がより正確に再生され得る。
【００２８】
図３Ａは、複数の単一導体ケーブル（一線ないし単芯ケーブル）、二導体ケーブル（二線ないし二芯ケーブル）又は多導体ケーブル（多線ないし多芯ケーブル）１３，１４が支持チューブ１５に固定される好ましい代替的な一実施例を示している。単一導体ケーブル、二導体ケーブル又は多導体ケーブル１３，１４の各々は、上述のケーブル１と同じものである。支持チューブは、剛性であっても可撓性であってもよい。導体ケーブル１３，１４を支持チューブ１５のまわりに二重螺旋状に巻き付けることによって、信号の相互干渉が最低限になる状態で、複数の導体ケーブルが一緒に配置され得る。説明及び図示の簡単化のために、この図では二本のケーブル１３，１４のみが示されている。しかしながら、当業者であれば、特定の工学的又は技術的用途に応じて、単一導体ケーブル、二導体ケーブル及び／又は多導体ケーブルを多数本組合せ得ることは、明白にわかるであろう。
【００２９】
図３Ｂは、図３Ａの実施例において、単一導体ケーブル、二導体ケーブル又は多導体ケーブル１３，１４が支持チューブ１５に組付けられた後の状態を示している。この図からわかるように、この実施例は、複数の導体ケーブル１３，１４が単一のユニットの部品として配置される（routed）ことを可能にする。これは、また、配設を容易にし、加えて、ケーブル１３，１４間の間隔を保って信号の相互干渉を低減させる。
【００３０】
図示の容易さのために、図１Ａ，図１Ｂ，図１Ｃ，図１Ｄ及び図２では、二リード線ケーブルすなわち二導体ケーブル１を示している。しかしながら、多数本の導体を一本のケーブル１内に配設するか又は多数本のケーブル１３，１４を図３Ａ及び図３Ｂに示したような支持チューブ１５に取付けることにより、二本よりも多数のリード線を備えたケーブル構造体を形成した場合にも、本発明の利点や長所が得られることは、当業者には明白でであろう。
【００３１】
従って、ケーブルは、例えば、
（１）図１Ｂもしくは図１Ｃに示したように導体３，５がチューブ２の壁部を縫うように配設されているものでも、又は図１Ｄに示したように導体３，５が結束されチューブ２内に配設されてなるものでも、また、
（２）単一導体３を図１Ｂや図１Ｃに示したようにチューブの壁を縫うように通してチューブに矩形形状に固定してなる単一導体ケーブル、又は該単一導体３もしくは５を図１Ｄのようにチューブ内に配置してなる単一導体ケーブルを、図３Ｂに示したようなより大きい支持管１５に相互に反対方向に螺旋状に巻回してなるものでも
よい。
なお、三本の導体を有するケーブル（例えば、グランド（接地）線を含むＡＣ電源ケーブルやデジタル信号をバランスモードで伝送するケーブルの場合）の場合、
（１）図１Ｂもしくは図１Ｃに示したように導体３，５がチューブ２の壁部を縫うように配設されているもの、又は図１Ｄに示したように導体３，５が結束されチューブ２内に配設されてなるものに対して、該チューブ２のまわりに、接地導体線や余分の導体線を、図３Ｂのケーブル１３又は１４と同様に螺旋状に巻回しても、また、
（２）単一導体３を図１Ｂや図１Ｃに示したようにチューブの壁を縫うように通してチューブに矩形形状に固定してなる単一導体ケーブル、又は該単一導体３もしくは５を図１Ｄのようにチューブ内に配置してなる単一導体ケーブルを、図３Ｂに示したようなより大きい支持管１５にケーブル１３，１４と同様に相互に反対方向に螺旋状に巻回すると共に、図３Ｂにおいて想像線３１で示したように該支持管１５内において該支持管１５に沿って接地導体線や余分の導体線を直線的に延在させても、
（３）図１Ｄにおいて想像線３２で示したように、チューブ２内において、導体３，５が結束されたものの中心線に沿って接地導体線や余分の導体線を直線的に延在させ、共通する交差部において導体３，５と共に接地導体線や余分の導体線を結束手段１２で同時に結束固定するようにしてもよい。
【００３２】
図４Ａは、図１Ａ及び図１Ｂに示した導体３の好ましい一実施例を示している。この図からわかるように、導体３の線分部分６，７は、９０度の角度で折曲げられている。この構成では、線分部分６，７は相互に平行である。これは、磁場の相殺量を最大にする。
【００３３】
図４Ｂは、折曲げ部１６が丸みをおびた導体３の別の好ましい一実施例を示している。この実施例でも、導体３の線分部分６，７は、該線分部分６，７の実質的に全長にわたって相互に平行である。
【００３４】
図４Ｃは、導体３が鋸歯状に形成された本発明による別の好ましい一実施例を示している。この構成では、線分部分１７，１８は、該部分１７，１８による磁場を相互に相殺するように配置されている。この場合、図４Ａや図４Ｂの実施例ほど相殺は効果的ではないけれども、磁場がある程度低減され、周波数群遅延が低減され得る。
【００３５】
図４Ｄは、折曲部で鋭角に折曲げられて導体３が形成されている本発明による更に別の好ましい一実施例を示している。前述の他の実施例の場合と同様に、この構成でも、周波数群遅延は低減され得る。しかしながら、この場合、図４Ｃの実施例の場合と同様に、図４Ａや図４Ｂの実施例ほど相殺は効果的ではない。
【００３６】
図４Ｅは、折曲部で鈍角に折曲げられて導体３が形成されている本発明による更に別の好ましい一実施例を示している。図４Ｃや図４Ｄの実施例の場合と同様に、この構成でも、周波数群遅延は低減され得る。この場合、図４Ａや図４Ｂの実施例ほど相殺は効果的ではないことも同様である。
【００３７】
図４Ａ〜図４Ｅの構造例は、単に、例示的に図示したものである。図４Ａ〜図４Ｅに関して説明したように、本発明の利点は、図１Ａにおいて用いられているような単純な９０度の矩形導体構造のみに本発明が限定されるべきものではないことは、理解され得るであろう。むしろ、導体３のある線分部分を伝送される信号により生成される磁場が当該導体３の他の線分部分により生成される磁場と打ち消しあうように、導体３の線分部分が配置される限り、導体３は、どのような形態ないし形状に折曲げられていてもよい。
【００３８】
図５Ａは、従来の信号コネクタ１９を示す。この信号コネクタ１９は、従来の信号ケーブルの正のリード線２２に取付けられる中実な金属の正の接点部材２０を有する。負の接点部材２１は、図示されているように、従来の信号ケーブルの負のリード線２３に取付けられている。
【００３９】
図５Ｂは、低干渉ケーブル１に用いられるコネクタ２４の好ましい一実施例を示してる。この変更されたコネクタ２４は、従来の信号コネクタ１９の接点部材２１と同等の負の接点部材２１を有する。加えて、従来の信号コネクタ１９で用いられているのと同等の外表面を備えた正の接点部材２５がある。しかしながら、このコネクタ２４は、正の接点部材２５が中空である点で、従来のものとは異なる。この構造は、低干渉ケーブル１の導体３を正の接点部材２５の先端に半田付するのを可能にする。これによって、導体３と正の接点部材２５の端部との間の距離が最小限に抑えられる。距離が短くなることにより信号が歪む可能性を最小限に抑え得るから、信号の質を向上させ得る。好ましい実施例では、共振を抑制すべく、中空の正の接点部材２５にもまたシリコーンゲルが充填されている。
【００４０】
図には、また、正の接点部材２５を負の接点部材２３から分離するために用いられる絶縁体２７が示されている。加えて、従来のケーブルで用いられていたのと同等のケーブル握り部２６が示されている。
【００４１】
以上において説明してきた低干渉ケーブル１は、周波数群遅延を低減させる独特の信号ケーブル構造を備える。このケーブル１は、また、コネクタで生起せしめられる信号の歪みを低減させる特別のコネクタ２４と組み合わされることにより、更に、信号の質を改善する。
【００４２】
以上においては、好ましい実施例を参照しながら本発明の説明をしたけれども、本発明の精神や範囲や教示を逸脱することなくその範囲内で種々の変更が行われ得ることは、当業者には明らかであろう。例えば、ケーブルを構成するために用いられる材料は、目的に適合するものであればどのようなものでもよく、また、コネクタのサイズや形状も変更されてもよい。リード線の数等も任意に変え得る。従って、本発明は、特許請求の範囲の記載のみよって限定されるべきものである。
【図面の簡単な説明】
【００４３】
【図１Ａ】本発明による好ましい一実施例の二リード線（dual lead）ケーブルの（外側のチューブの）側部を切除した説明図であって、各リード線のある線分部分を流れる電流が当該リード線の隣接する線分部分を流れる電流とは反対方向になるように、各リード線の線分部分が構成・配置されたものが示されている。
【図１Ｂ】細いゲージ導体がテフロン（登録商標）チューブのような可撓性チューブの壁を縫うように通っている本発明による好ましい一実施例のケーブルの説明図。
【図１Ｃ】外部の電磁放射からケーブル全体を保護する外側のシールドがオプションとして付加された本発明による好ましい一実施例のケーブルの説明図。
【図１Ｄ】線径の大きい導体が相互に固定されている本発明による好ましい代替的な一実施例の説明図。
【図２】二本の導体が相互に約９０度回転された状態で配置されている本発明による好ましい一実施例の二導体ケーブルの端面説明図。
【図３Ａ】多数の単一導体ケーブル、二導体ケーブル又は多導体ケーブルが支持チューブに固定されている本発明による好ましい代替的な一実施例について、当該単一導体ケーブル、二導体ケーブル又は多導体ケーブルを支持チューブに取付ける前の状態を示した説明図。
【図３Ｂ】図３Ａに示した本発明による好ましい代替的な一実施例について、単一導体ケーブル、二導体ケーブル又は多導体ケーブルを支持チューブに組付けた後の状態を示した説明図。
【図４Ａ】図１Ａ〜図１Ｄに示した導体の好ましい一実施例の説明図。
【図４Ｂ】本発明による別の好ましい一実施例を示したもので、導体が折曲部で丸みをもって折曲げられている実施例の説明図。
【図４Ｃ】本発明による更に別の好ましい一実施例を示したもので、導体が鋸歯状に形成されている実施例の説明図。
【図４Ｄ】本発明による更に別の好ましい一実施例を示したもので、導体が折曲部で鋭角に折曲げられている実施例の説明図。
【図４Ｅ】本発明による更に別の好ましい一実施例を示したもので、導体が折曲部で鈍角に折曲げられている実施例の説明図。
【図５Ａ】従来の信号コネクタを示した説明図。
【図５Ｂ】低干渉ケーブルで用いられる本発明による新規なコネクタの好ましい一実施例の説明図。
【符号の説明】
【００４４】
１  ケーブル
２  ケーブルチューブ
３  導体
４  端部コネクタ
５  導体
６，７  線分部分（セグメント）
８，９  線分部分（セグメント）
１０  電流
１２  結束手段
１３，１４  ケーブル
１５  支持チューブ
１６  丸みのある折曲部
１７，１８  線分部分（セグメント）
２３  負の接点部材
２４  コネクタ
２５  正の接点部材
２７  絶縁体
【図１Ａ】
2004342578.tif 000003
【図１Ｂ】
2004342578.tif 000004
【図１Ｃ】
2004342578.tif 000005
【図１Ｄ】
2004342578.tif 000006
【図２】
2004342578.tif 000007
【図３Ａ】
2004342578.tif 000008
【図３Ｂ】
2004342578.tif 000009
【図４Ａ】
2004342578.tif 000010
【図４Ｂ】
2004342578.tif 000011
【図４Ｃ】
2004342578.tif 000012
【図４Ｄ】
2004342578.tif 000013
【図４Ｅ】
2004342578.tif 000014
【図５Ａ】
2004342578.tif 000015
【図５Ｂ】
2004342578.tif 000016